(57)【特許請求の範囲】
【請求項１】
符号化された画像データのストリームが入力される入力手段と、
上記入力手段に入力されたストリームを画像データに復号する復号処理手段と、
上記復号処理手段により復号された各ピクチャの画像データを記憶する第１の記憶手段と、
上記復号処理手段で復号対象となる最も画サイズの大きい画像データを少なくとも１ピクチャ分記憶可能な記憶領域を有し、該復号処理手段により復号された画像データを記憶する第２の記憶手段と、
上記入力手段に入力されたストリームを解析して、解析結果に応じて上記第１の記憶手段及び上記第２の記憶手段に上記復号手段により復号された画像データを記憶させる制御手段と、
上記制御手段により上記第１の記憶手段及び上記第２の記憶手段に記憶された画像データの各ピクチャを表示順に読み出して出力する出力手段とを備え、
上記制御手段は、
上記解析結果により取得される上記ストリームに対応する画像データの画サイズに関する情報に応じて上記第１の記憶手段に複数の記憶領域を設定して、設定した各記憶領域に上記復号処理手段により順次復号された各ピクチャの画像データを記憶させ、該解析結果に応じて上記ストリームの画像データの画サイズが切り替わるかを判断して画サイズが切り替わるとき該復号処理手段により復号された画像データのうち画サイズが切り替わる直前に表示されるピクチャの画像データを上記第２の記憶手段に記憶させる画像処理装置。
【請求項２】
上記入力手段には、所定の符号化規格に準拠したＧＯＰ単位で各ピクチャのピクチャタイプが予め決められた上記画像データのストリームが入力され、
上記制御手段は、上記解析結果に応じて、上記入力手段に入力されるストリームの画像データの画サイズが切り替わるかをＧＯＰ単位で判断して、上記復号処理手段で復号された画像データのうち画サイズが切り替わる直前に位置するＧＯＰを特定して、特定したＧＯＰを構成するピクチャのうち最も表示順が遅いピクチャのデータを上記第２の記憶手段に記憶させることを特徴とする請求項１記載の画像処理装置。
【請求項３】
入力手段に入力される符号化された画像データのストリームを復号して出力する画像処理装置の制御方法において、
上記入力手段に入力されたストリームを画像データに復号する復号工程と、
上記入力手段に入力されたストリームを解析して該ストリームに対応する画像データの画サイズに関する情報を取得するとともに、該入力手段に入力されるストリームの画像データの画サイズが切り替わるかを判断する解析工程と、
上記解析工程により解析された画サイズに応じて第１の記憶手段に複数の記憶領域を設定し、設定した各記憶領域に、上記復号工程によりピクチャ単位で順次復号される画像データを記憶させる第１の記憶処理工程と、
上記解析工程による判断結果に応じて、上記復号工程により復号された画像データのうち画サイズが切り替わる直前に表示されるピクチャのデータを、復号対象となる最も画サイズの大きい画像データを少なくとも１ピクチャ分記憶可能な記憶領域を有する第２の記憶手段に記憶させる第２の記憶処理工程と、
上記第１の記憶手段及び上記第２の記憶手段に記憶された画像データの各ピクチャを表示順に読み出して出力する出力工程とからなる画像処理装置の制御方法。
【発明の詳細な説明】
【技術分野】
【０００１】
本発明は、符号化された画像データのストリームを復号して出力する画像処理装置、及び、この画像処理装置の制御方法に関する。
【背景技術】
【０００２】
画像データを符号化する符号化処理は、たとえばデジタルビデオカメラなどの撮像装置で撮像された画像データを効率よくＤＶＤなどの記憶媒体に記憶したり放送波を介して伝送するために画像データ特有の冗長性を利用して画質を保ちながらデータ量を削減する処理として行われている。
【０００３】
このような符号化処理によって生成されるストリームは、例えば図６に示すような画像処理装置によって復号される。
【０００４】
画像処理装置２００は、図６に示すように、外部から符号化された画像データのストリームが入力される入力部２１０と、入力ストリームを解析する制御部２２０と、入力ストリームに対して復号処理を施す復号処理部２３０と、復号処理を施した画像データを一時的に記憶するメモリ２４０と、メモリ２４０から画像データを読み出して外部へ出力するレンダラ２５０とを備える。
【０００５】
入力部２１０は、例えばＭＰＥＧなどの符号化規格に準拠して符号化された画像データのストリームを入力して制御部２２０及び復号処理部２３０に供給する。
【０００６】
制御部２２０は、入力部２１０により入力した入力ストリームのシンタックスを解析して、解析結果から取得される情報のうち、入力ストリームに対応する画像データの画サイズに関する情報を制御情報としてメモリ２４０に供給する。
【０００７】
復号処理部２３０は、入力部２１０により入力した入力ストリームに対して復号処理を施し、復号した画像データをピクチャ毎に順次メモリ２４０に書き込む処理を行う。
【０００８】
メモリ２４０は、復号処理部２３０から供給される画像データを、どのデータをどの記憶位置に記憶させるかを示すメモリマップに従って記憶する。具体的に、メモリ２４０は、制御部２２０から供給される画サイズに関する情報に応じてメモリマップを設定し、復号処理部２３０から書き込まれるピクチャのデータを各記憶領域に記憶する。
【０００９】
レンダラ２５０は、画像データの表示順に従って、メモリ２４０からピクチャ単位で復号された画像データを読み出して外部へ出力する。
【００１０】
以上のような構成からなる画像処理装置２００は、画サイズが途中で切り替わるストリームに対して復号処理を行う場合、図７に示すようなフローチャートに従った処理を行い、復号した画像データをメモリ２４０に記憶する。
【００１１】
ステップＳ１０１において、入力部２１０は、復号対象となる入力ストリームが入力されているかを判断して、入力ストリームが入力されているときステップＳ１０２に進み、入力ストリームが入力されていないとき本処理を終了する。
【００１２】
ステップＳ１０２において、制御部２２０は、入力部２１０により入力される入力ストリームを解析してステップＳ１０３に進む。
【００１３】
ステップＳ１０３において、制御部２２０は、ステップＳ１０２により解析した情報に応じて、入力部２１０に入力される入力ストリームの画像データの画サイズが切り替わるかをピクチャ単位で判断して、切り替わるときステップＳ１０４に進み、切り替わらないときステップＳ１０５に進む。
【００１４】
ステップＳ１０４において、制御部２２０は、画サイズが切り替わることを示す制御情報をメモリ２４０に供給する。メモリ２４０では、この制御情報に従ってメモリマップを切り換えてステップＳ１０５に進む。
【００１５】
ステップＳ１０５において、復号処理部２３０は、入力部２１０により入力されるストリームに対して復号処理を施し、復号した画像データをピクチャ毎に順次メモリ２４０に書き込む処理を施してステップＳ１０１に戻る。
【００１６】
以上のような処理工程に従って復号処理を行う画像処理装置２００では、例えば図８に示すように、書込タイミングに同期して、復号処理部１３０で復号された各ピクチャの画像データをメモリ２４０に供給し、この書き込みタイミングに対して例えば１ピクチャ分時間的に遅れた読出タイミングに同期してレンダラ２５０がメモリ２４０に記憶されている画像データを読み出す。なお、図８に示す具体例では、画サイズ切り替え前のストリームを入力ストリームＡとし、画サイズ切り替え後のストリームを入力ストリームＢとし、入力ストリームが、表示順の後方に位置するピクチャを参照した予測処理を行わないＩピクチャ、Ｐピクチャのみから構成されているものとする。
【００１７】
画像処理装置２００では、このようなタイミングの時間的な遅れを考慮して、ストリームＡで最後に表示されるピクチャの画像データがレンダラ２５０によってメモリ２４０から読み出された後に、メモリマップの切換を含めたストリームＢの復号処理を開始するようにしている。これは、入力ストリームＡの最後に表示されるピクチャの画像データが、切換後のメモリマップによって書き込まれる入力ストリームＢの画像データによって上書きされるのを防止するためである。
【００１８】
したがって、画像処理装置２００では、画サイズの切替時においてレンダラ２５０が表示順に並んだピクチャの画像データを外部に出力することができないブランキング期間を発生させてしまう。図４の具体例では、メモリマップの切り換えタイミングにおいて１ピクチャに対応する表示時間分のブランキング期間が発生することとなる。このため、画像処理装置２００から出力される画像データが示す映像を表示する表示装置では、画サイズの切替時に上述したブランキング期間を伴うことなく、すなわち途切れることなく映像を表示することができなかった。
【００１９】
ここで、画像処理装置２００では、メモリ２４０の記憶容量を例えば次のように増加させることで画サイズの切替時においてメモリマップの変更を行わずに、ブランキング期間を発生させることなく復号処理を行うことができる。
【００２０】
例えば、符号化フォーマットがＡＶＣでＬｅｖｅｌ４．０の４：２：０の場合、ＳＤサイズ（輝度を示す画素数が７２０×４８０の画サイズ。）及びＨＤサイズ（輝度を示す画素数が１９２０×１０８８の画サイズ。）のストリームを復号するには、それぞれ次のようなメモリ面数がメモリ２４０において必要となる。ここで、メモリ面数とは、各ピクチャを記憶させる記憶領域の数を示す。
【００２１】
ここで、変更前のメモリ２４０の記憶可能容量を１２２８８×１０２４［Ｂｙｔｅｓ］とすると、ＳＤサイズの画像データに対応するメモリ面数は、約１６（１２２９９×１０２４［Ｂｙｔｅ］／７２０×４８０×１．５［Ｂｙｔｅ］）となっており、ＨＤサイズの画像データに対応するメモリ面数は、４（１２２９９×１０２４［Ｂｙｔｅ］／１９２０×１０８８×１．５［Ｂｙｔｅ］）となっている。
【００２２】
よって、メモリマップを切り換えなくても、上書きされることなく順次画像データを書込可能なメモリサイズは、両方を満たす画サイズ及びフレーム面数を確保したメモリサイズであり、具体的には、５０１３５０４０［Ｂｙｔｅ］（１９２０×１０８８×１．５×１６）となる。このメモリサイズは、メモリマップの切換を行う変更前のメモリサイズに比べて４倍となる。
【００２３】
このため、画像処理装置２００において、画サイズの切替時においてメモリマップの変更を行うことなく、かつ、ブランキング期間が発生することなく復号処理を行うには、メモリサイズを非常に大きくする必要がありコストの増大が避けられなかった。
【００２４】
なお、特許文献１には、画像処理デバイスの処理負担を低減して表示画像の画質劣化を防止するために、生成した表示用データを第１、第２メモリ部に交互に記憶させるとともに表示順に順次読み出して表示画像を表示させる画像表示制御装置が記載されている。
【００２５】
【特許文献１】特開２００３―５８１４４号公報
【発明の開示】
【発明が解決しようとする課題】
【００２６】
本発明は、このような実情に鑑みて提案されたものであり、復号処理が施された画像データを出力する前に一時的に記憶させる記憶手段の記憶可能容量の増大を抑えつつ、復号対象のストリームの画サイズが切り替わっても表示順に途切れることなく復号された画像データを出力する画像処理装置を提供することを目的とする。
【課題を解決するための手段】
【００２７】
上述した課題を解決するための手段として、本発明に係る画像処理装置は、符号化された画像データのストリームが入力される入力手段と、上記入力手段に入力されたストリームを画像データに復号する復号処理部と、上記復号処理部により復号された各ピクチャの画像データを記憶する第１の記憶手段と、上記復号処理部で復号対象となる最も画サイズの大きい画像データを少なくとも１ピクチャ分記憶可能な記憶領域を有し、該復号処理部により復号された画像データを記憶する第２の記憶手段と、上記入力手段に入力されたストリームを解析して、解析結果に応じて上記第１の記憶手段及び上記第２の記憶手段に上記復号手段により復号された画像データを記憶させる制御手段と、上記制御手段により上記第１の記憶手段及び上記第２の記憶手段に記憶された画像データの各ピクチャを表示順に読み出して出力する出力手段とを備える。また、上記制御手段は、上記解析結果により取得される上記ストリームに対応する画像データの画サイズに関する情報に応じて上記第１の記憶手段に複数の記憶領域を設定して、設定した各記憶領域に上記復号処理部により順次復号された各ピクチャの画像データを記憶させ、該解析結果に応じて上記ストリームの画像データの画サイズが切り替わるかを判断して画サイズが切り替わるとき該復号処理部により復号された画像データのうち画サイズが切り替わる直前に表示されるピクチャの画像データを上記第２の記憶手段に記憶させる。
【００２８】
また、本発明は、入力手段に入力される符号化された画像データのストリームを復号して出力する画像処理装置の制御方法であって、上記入力手段に入力されたストリームを画像データに復号する復号工程と、上記入力手段に入力されたストリームを解析して該ストリームに対応する画像データの画サイズに関する情報を取得するとともに、該入力手段に入力されるストリームの画像データの画サイズが切り替わるかを判断する解析工程と、上記解析工程により解析された画サイズに応じて第１の記憶手段に複数の記憶領域を設定し、設定した各記憶領域に、上記復号工程によりピクチャ単位で順次復号される画像データを記憶させる第１の記憶処理工程と、上記解析工程による判断結果に応じて、上記復号工程により復号された画像データのうち画サイズが切り替わる直前に表示されるピクチャのデータを、復号対象となる最も画サイズの大きい画像データを少なくとも１ピクチャ分記憶可能な記憶領域を有する第２の記憶手段に記憶させる第２の記憶処理工程と、上記第１の記憶手段及び上記第２の記憶手段に記憶された画像データの各ピクチャを表示順に読み出して出力する出力工程とからなる。
【発明の効果】
【００２９】
本発明では、入力ストリームの解析結果に応じて上記入力手段に入力されるストリームの画像データの画サイズが切り替わるかを判断して、復号された画像データのうち画サイズが切り替わる直前に表示されるピクチャのデータを第２の記憶手段に記憶させるので、第２の記憶手段から画像データを読み出している時に、画サイズ切り替え後の復号した画像データを第１の記憶手段に記憶させることができる。このため、本発明では、復号処理が施された画像データを出力前に一時的に記憶させる記憶手段の記憶容量の増大を抑えて、復号対象のストリームの画サイズが切り替わっても表示順に途切れることなく復号された画像データを出力することができる。
【発明を実施するための最良の形態】
【００３０】
以下、本発明を実施するための最良の形態について、図面を参照しながら詳細に説明する。
【００３１】
符号化された画像データのストリームを復号して出力する処理を行う本発明が適用された画像処理装置の一例として、図１に示すような画像処理装置１を用いて、本発明を実施するための形態を説明する。
【００３２】
画像処理装置１は、例えばＡＶＣなどの方式で符号化された画像データのストリームに復号処理を施して、ベースバンドビデオ信号などの復号した画像データを表示装置２に供給する処理を行うため次のような構成を備えている。
【００３３】
すなわち、画像処理装置１は、図１に示すように、外部から符号化された画像データのストリームを入力する入力部１１０と、入力ストリームを解析して、解析結果に応じた制御を行う制御部１２０と、入力ストリームに対して復号処理を施す復号処理部１３０と、復号処理を施した画像データを一時的に記憶するメモリ部１４０と、メモリ部１４０から画像データを読み出して外部へ出力するレンダラ１５０とを備える。
【００３４】
入力部１１０は、例えばＭＰＥＧなどの符号化規格に準拠して符号化された画像データのストリームを入力して、この入力ストリームを制御部１２０及び復号処理部１３０にそれぞれ供給する。
【００３５】
制御部１２０は、入力部１１０により入力した入力ストリームのシンタックスを解析して、解析結果から得られる情報のうち、少なくとも入力ストリームに対応する画像データの画サイズに関する情報を制御情報としてメモリ部１４０に供給する。
【００３６】
復号処理部１３０は、入力部１１０により入力された入力ストリームに対して復号処理を施し、復号した画像データをピクチャ毎に順次メモリ部１４０に供給する。
【００３７】
メモリ部１４０は、第１のメモリ１４１と、第２のメモリ１４２と、第１の切換部１４３と、第２の切換部１４４とを備え、制御部２２０から供給される制御情報に従って復号処理部１３０から供給される画像データを一時的に記憶する。
【００３８】
第１のメモリ１４１は、後述する第１の切換部１４３を介して復号処理部１３０から供給される画像データを、どのデータをどの記憶位置に記憶させるかを示すメモリマップに従って記憶する。具体的に、第１のメモリ１４１は、制御部１２０から供給される画サイズに関する情報に応じてメモリマップを設定し、復号処理部１３０からピクチャ単位で供給される画像データを各記憶領域に順次記憶する。
【００３９】
第２のメモリ１４２は、復号処理部１３０で復号対象となる最も画サイズの大きい復号された画像データを少なくとも１ピクチャ分記憶可能な記憶領域を有する。このような記憶領域を有する第２のメモリ１４２は、第１の切換部１４３を介して復号処理部１３０から供給される画像データを記憶する。
【００４０】
第１の切換部１４３は、制御部１２０から供給される制御情報に応じて、制御部１２０からの画像データの供給先を、第１のメモリ１４１又は第２のメモリ１４２に切り換える処理を行う。
【００４１】
第２の切換部１４４は、制御部１２０から供給される制御情報に応じて、後述するレンダラ１５０によって読み出される画像データの読み出し元となるメモリを、第１のメモリ１４１又は第２のメモリ１４２に切り換える処理を行う。
【００４２】
レンダラ１５０は、画像データの表示順に従って、メモリ部１４０からピクチャ単位で復号された画像データを順次読み出して表示装置２へ出力する。
【００４３】
以上のような構成からなる画像処理装置１では、画サイズが途中で切り替わるストリームに対し、図２に示すようなフローチャートに従って、復号処理を施した画像データを第１のメモリ１４１又は第２のメモリ１４２に記憶させる処理を行う。
【００４４】
ステップＳ１１において、入力部１１０は、復号対象となる入力ストリームが外部から入力されているかを判断して、入力ストリームが入力されているときステップＳ１２に進み、入力ストリームが入力されていないとき本処理を終了する。
【００４５】
ステップＳ１２において、制御部１２０は、入力部１１０により入力される入力ストリームのシンタックスを解析してステップＳ１３に進む。
【００４６】
ステップＳ１３において、メモリ部１４０は、ステップＳ１２により制御部１２０によって解析された情報に応じて、入力部１１０に入力される入力ストリームの画像データの画サイズが切り替わるかをピクチャ単位で判断して、切り替わると判断したときステップＳ１４に進み、切り替わらないと判断したときステップＳ１５に進む。
【００４７】
ステップＳ１４において、メモリ部１４０は、切り替え後の画サイズに関する情報に応じて、第１のメモリ１４１のメモリマップを切り替えてステップＳ１５に進む。
【００４８】
ステップＳ１５において、メモリ部１４０は、制御部１２０で解析された情報に応じて、復号処理部１３０が現在復号対象としているピクチャが、画サイズ切り替え前の最終画像であるかを判断して、最終画像であるときステップＳ１６に進み、最終画像でないときステップＳ１７に進む。
【００４９】
ステップＳ１６において、メモリ部１４０は、現在復号対象としているピクチャの復号された画像データが第２のメモリ１４２に供給されるように第１の切換部１４３を切り替えてステップＳ１８に進む。
【００５０】
ステップＳ１７において、メモリ部１４０は、現在復号対象としているピクチャの復号された画像データが第１のメモリ１４２に供給されるように第１の切換部１４３を切り換えてステップＳ１８に進む。
【００５１】
ステップＳ１８において、復号処理部１３０は、現在復号対象としているピクチャに対して復号処理を施してメモリ部１４０に供給してステップＳ１１に戻る。
【００５２】
以上のような処理工程に従って復号処理を行う画像処理装置２００では、例えば図３に示すように、書込タイミングに同期して復号処理部１３０で復号された各ピクチャの画像データをメモリ部１４０に供給し、この書込タイミングに対して例えば１ピクチャ分時間的に遅れた読出タイミングに同期してレンダラ１５０がメモリ部１４０に記憶されている画像データを読み出す。なお、図４に示す具体例では、画サイズ切り替え前のストリームを入力ストリームＡとし、画サイズ切り替え後のストリームを入力ストリームＢとし、入力ストリームが、表示順の後方に位置するピクチャを参照した予測処理を行わないＩピクチャ、Ｐピクチャのみから構成されているものとする。
【００５３】
ここで、従来の画像処理装置では、メモリマップを切り換えてから画サイズ切り替え後の入力ストリームＢの復号処理を開始しなければならないため、画サイズの切り替え時においてレンダラ２５０が表示順に並んだピクチャの画像データを外部に出力することができないブランキング期間を発生させてしまう。
【００５４】
これに対して、本実施形態に係る画像処理装置１では、ステップＳ１３の処理工程によって、解析結果に応じて入力部１１０に入力されるストリームの画像データの画サイズが切り替わるかを判断して、ステップＳ１６の処理工程によって、復号処理部１３０で復号された画像データのうち画サイズが切り替わる直前に表示されるピクチャのデータを第２のメモリ１４２に記憶させる。よって、画像処理装置１は、図３に示すように、レンダラ１５０が第２のメモリ１４２から画像データを読み出している時に、第１のメモリ１４１をメモリマップを切り換えるとともに復号処理部１３０が画サイズ切り替え後の復号した画像データをこの第１のメモリに記憶させることができる。このため、レンダラ１５０は、画サイズの切り替わりに関係なく、リアルタイムで表示順に並んだピクチャの画像データを表示装置２などの外部機器へ出力することができる。
【００５５】
特に、この画像処理装置１では、従来の画像処理装置に比べて、復号処理部１３０で復号対象となる最も画サイズの大きい復号された画像データを少なくとも１ピクチャ分記憶可能な記憶領域を有する第２のメモリ１４２を設ければよいので、メモリサイズの増大を抑えつつ、復号対象であるストリームの画サイズが切り替わっても表示順に途切れることなく復号された画像データをリアルタイムに外部へ出力することができる。
【００５６】
また、上述した図４に示した具体例では、入力ストリームが、後方予測を伴わないＩピクチャ、Ｐピクチャのみから構成されている。しかしながら、一般的には、表示順に対して双方向に位置するピクチャを参照することによって予測するＢピクチャを含んだＧＯＰ構造に従って画像データに対して符号化処理を施すようにしている。
【００５７】
例えば、ＧＯＰ構造がＩピクチャ、Ｂピクチャ、Ｐピクチャ、Ｂピクチャのように並んだストリームを従来の画像処理装置が復号する場合には、図５に示すように、あるＰピクチャの読出タイミングが、このＰピクチャの後に復号処理が施されたＢピクチャの読出タイミングよりも後になるため、メモリマップの切り換え時において複数ピクチャに亘って上述したブランキング期間が発生してしまう場合がある。
【００５８】
これに対して、本実施形態に係る画像処理装置１では、上述した各処理ステップにおいて次のような処理を行うことで、所定の符号化規格に準拠したＧＯＰ単位で各ピクチャのピクチャタイプが予め決められたストリームを入力部１１０が入力し、このストリームの画サイズが切り替わってもブランキング期間を発生させることなくリアルタイムで画像データを表示装置２などに出力することができる。
【００５９】
すなわち、ステップＳ１３において、メモリ部１４０は、入力部１１０に入力されるストリームの画像データの画サイズが切り替わるかをＧＯＰ単位で判断するとともに、復号処理部１３０で復号された画像データのうち画サイズが切り替わる直前に位置するＧＯＰを特定する。そして、ステップＳ１５において、メモリ部１４０は、ステップＳ１３において特定したＧＯＰを構成するピクチャのうち最も表示順が遅いピクチャのデータを、画サイズ切り替え直前のピクチャであると判断する。
【００６０】
このようにして、本実施形態に係る画像処理装置１では、所定の符号化規格に準拠したＧＯＰ単位で各ピクチャのピクチャタイプが予め決められたストリームを入力部１１０が入力し、このストリームの画サイズが途中で切り替わっても、ブランキング期間を発生させることなく連続して画像データを表示装置２などに出力することができる。
【００６１】
なお、本発明は、以下の実施形態のみに限定されるものではなく、本発明の要旨を逸脱しない範囲内において種々の変更が可能であることは勿論である。
【図面の簡単な説明】
【００６２】
【図１】本発明が適用された画像処理装置の一例を示すブロック図である。
【図２】画サイズが途中で切り替わるストリームに対して行う復号処理の説明に供するフローチャートである。
【図３】本実施形態に係る画像処理装置におけるメモリマップの切り換え処理の説明に供する図である。
【図４】従来の画像処理装置におけるＧＯＰ構造に従ったメモリマップの切り換え処理の説明に供する図である。
【図５】本実施形態に係る画像処理装置におけるＧＯＰ構造に従ったメモリマップの切り換え処理の説明に供する図である。
【図６】従来の画像処理装置の一例を示すブロック図である。
【図７】画サイズが途中で切り替わるストリームに対して行う従来の復号処理の説明に供するフローチャートである。
【図８】従来の画像処理装置におけるメモリマップの切り換え処理の説明に供する図である。
【符号の説明】
【００６３】
１、２００  画像処理装置、２  表示装置、１１０、２１０  入力部、１２０、２２０  制御部、１３０、２３０  復号処理部、１４０  メモリ部、１４１  第１のメモリ、１４２  第２のメモリ、１４３  第１の切換部、１４４  第２の切換部、１５０、２５０  レンダラ、２４０  メモリ
【図１】
0004710887.tif 000002
【図２】
0004710887.tif 000003
【図３】
0004710887.tif 000004
【図４】
0004710887.tif 000005
【図５】
0004710887.tif 000006
【図６】
0004710887.tif 000007
【図７】
0004710887.tif 000008
【図８】
0004710887.tif 000009